(57)【特許請求の範囲】
【請求項１】
床面に設置される排水ソケットの上端にパッキンを設け、該パッキンに上方より便器の排水口を差し込んで接続する接続構造において、
前記パッキンは、上下方向に伸縮可能な蛇腹部が形成され、該蛇腹部の上端には水平状に上片が一体形成され、上片の中心部に便器の排水口を上方側から差し込む差込孔が形成されていることを特徴とする便器の排水口と排水ソケットとの接続構造。
【請求項２】
前記パッキンの便器の排水口を上方から差し込む差込孔を偏心させたことを特徴とする請求項１に記載の便器の排水口と排水ソケットとの接続構造。
【請求項３】
前記排水ソケットが、下端側の中心線と上端側の中心線がズレた偏心構造に形成され、該排水ソケットを床面上で回転させて位置ズレを調整できるように構成したことを特徴とする請求項１または請求項２に記載の便器の排水口と排水ソケットとの接続構造。
【請求項４】
床面に設置される排水ソケットの上端にパッキンを設け、該パッキンに上方より便器の排水口を差し込んで接続する接続構造において、前記排水ソケットの上端と前記パッキン間に、別体の上下方向に伸縮可能な蛇腹部を有する部材を介在させたことを特徴とする便器の排水口と排水ソケットとの接続構造。
【請求項５】
床面に設置される排水ソケットの上端にパッキンを設け、該パッキンに上方より便器の排水口を差し込んで接続する接続構造において、前記パッキンを保持する別体のワッシャ部材と、前記排水ソケットの上端間を、上下方向に伸縮可能な蛇腹部を有する別体の蛇腹部材で連結したことを特徴とする便器の排水口と排水ソケットとの接続構造。
【発明の詳細な説明】
【０００１】
【産業上の利用分野】
この発明は、便器の排水口と、床面に設置される排水ソケットとの接続構造に関するものである。
【０００２】
【従来の技術及びその課題】
従来、図１３の断面構成図で示すように、便器１を設置するに際し、予め床面Ｆの所定位置に埋設配管２が配管業者により設置されており、この埋設配管２に対し、排水ソケット３を接続して、排水ソケット３を床面Ｆに固定させ、排水ソケット３の上端に設けられたパッキン４に対し、上方より便器１の排水口１ａを差し込んで接続しており、従来においては、埋設配管２の施工位置がズレている場合に、パッキン４の弾性によりズレを調整しているが、１枚のパッキン４のみでは、位置ズレの調整能力が少なく、例えば図１４の平面構成図で示すように、便器１をキャビネット５の前面に密着させて設置するようなタイプにおいては、施工位置がズレている場合に、パッキン４の調整能力を越えると、便器１とキャビネット５の前面間に大きな隙間ができたり、また、キャビネット５の前面と便器１の後面が干渉して施工ができない場合が生ずるという問題点があった。
なお、図中６は、キャビネット５内に隠蔽される洗浄水を溜める洗浄タンクである。
【０００３】
【課題を解決するための手段】
本発明は上記従来の問題点に鑑み案出したものであって、排水芯の施工位置がズレている場合でも、隙間を生じさせることなく良好に便器の施工ができる便器の排水口と排水ソケットとの接続構造を提供せんことを目的とし、その第１の要旨は、床面に設置される排水ソケットの上端にパッキンを設け、該パッキンに上方より便器の排水口を差し込んで接続する接続構造において、前記パッキンは、上下方向に伸縮可能な蛇腹部が形成され、該蛇腹部の上端には水平状に上片が一体形成され、上片の中心部に便器の排水口を上方側から差し込む差込孔が形成されていることである。
また、第２の要旨は、前記パッキンの便器の排水口を上方から差し込む差込孔を偏心させたことである。
また、第３の要旨は、前記排水ソケットが、下端側の中心線と上端側の中心線がズレた偏心構造に形成され、該排水ソケットを床面上で回転させて位置ズレを調整できるように構成したことである。
また、第４の要旨は、床面に設置される排水ソケットの上端にパッキンを設け、該パッキンに上方より便器の排水口を差し込んで接続する接続構造において、前記排水ソケットの上端と前記パッキン間に、別体の上下方向に伸縮可能な蛇腹部を有する部材を介在させたことである。
また、第５の要旨は、床面に設置される排水ソケットの上端にパッキンを設け、該パッキンに上方より便器の排水口を差し込んで接続する接続構造において、前記パッキンを保持する別体のワッシャ部材と、前記排水ソケットの上端間を、上下方向に伸縮可能な蛇腹部を有する別体の蛇腹部材で連結したことである。
【０００４】
【実施例】
以下、本発明の実施例を図面に基づいて説明する。
図１は、第１実施例の断面構成図を示すものであり、便器１を施工するに際し、予め床面Ｆに埋設されている埋設配管２に対し排水ソケット３を接続して、排水ソケット３の上端に設けられるパッキン４に便器１の排水口１ａを差し込んで接続するに際し、図２の拡大断面図で示すような接続構造が採用されるものであり、排水ソケット３には、床面Ｆにボルト等を介し固定するためにボルト等を通すボルト孔３ｂを有して床面Ｆに固定される固定フランジ部３ａが形成され、この固定フランジ部３ａから上方へ延びて外筒部３ｄが形成され、外筒部３ｄの上端に溝状に上面が解放された嵌合凹部３ｃが形成されたものとなっており、また、前記固定フランジ部３ａの内側には下方側へ垂下して内筒部３ｅが一体形成されており、床面Ｆに予め埋設されている埋設配管２に対し内筒部３ｅを接続して排水ソケット３が床面Ｆに固設されるものであり、本例では、この排水ソケット３の上端の嵌合凹部３ｃに取り付けられるパッキン４は、図３の断面拡大図で示すような構造となっており、パッキン４の下端には垂下状に嵌合片４ａが形成されており、この嵌合片４ａを排水ソケット３の嵌合凹部３ｃ内に嵌合させて取り付けることができるものである。
【０００５】
パッキン４の嵌合片４ａの上端には蛇腹部４ｂが形成されており、この蛇腹部４ｂを介し上下方向に伸縮可能に構成されている。また、上端には水平状に上片４ｃが一体形成され、上片４ｃの中心部には、便器１の排水口１ａを上方側から差し込むための差込孔４ｄが形成されている。また、本例のパッキン４には、蛇腹部４ｂと上片４ｃ間の内側にリング部材７が嵌め込まれており、このリング部材７により、便器１の排水口１ａを容易に差込孔４ｄ内に差し込むことができるように構成されている。
【０００６】
本例のパッキン４には、上下方向に伸縮可能に蛇腹部４ｂが形成されているため、埋設配管２の排水芯の施工位置がズレている場合には、この蛇腹部４ｂを介して水平方向に差込孔４ｄの位置をズラして、良好にパッキン４に排水口１ａを接続することができ、位置ズレの場合の調整能力が大であり、蛇腹部４ｂを介し良好に位置を調節して便器１をキャビネット５の前面に隙間なく密着状に設置することが容易なものとなる。
【０００７】
次に、図４は第２実施例の施工状態の断面構成図であり、本例では、通常の排水ソケット３の上端に、更に別のソケット８を介在させて、通常の排水ソケット用のパッキン４と、別体のソケット８のパッキン４１で、位置ズレに対するパッキン４，４１の２枚分の調整能力を持たせたものである。
即ち、図５の拡大断面図で示すように、排水ソケット３の上端の嵌合凹部３ｃ内にはパッキン４が嵌め込まれているが、その上面にソケット８の外筒部８ｂの下端を当接させて、ソケット８の内側の内筒部８ａをパッキン４の差込孔４ｄ内に上方より差し込んで、ソケット８を一段重ねるものであり、このソケット８の上端には嵌合凹部８ｃが形成されており、この嵌合凹部８ｃ内にパッキン４１の嵌合片４１ａが嵌合されてパッキン４１が上端に取り付けられており、パッキン４１の上片４１ｃに便器１の排水口１ａを差し込んで接続することができるものであり、この時に、パッキン４，４１により、位置ズレを広い範囲で調整でき、位置ズレが生じている場合にも便器を所定位置に良好に設置できるものとなる。
【０００８】
次に、図６は第３実施例の施工状態を示す断面構成図であり、本例では、排水ソケット３の上端に設けられるパッキン４２の差込孔４２ｃを偏心させたものである。
即ち、図７の断面拡大図で示すように、排水ソケット３の上端の嵌合凹部３ｃには、上方より接続筒体９の嵌合筒部９ａが嵌合状に差し込まれるものであり、接続筒体９の上端側には嵌合凹部９ｂが一体形成されており、この嵌合凹部９ｂ内に、パッキン４２の嵌合片４２ａを嵌合させてパッキン４２を取り付けることができるものであり、パッキン４２は図８に示すように、上片４２ｂに形成された差込孔４２ｃが中心からズレて偏心されている。
【０００９】
排水芯の施工位置のズレを吸収する際には、接続筒体９を排水ソケット３の嵌合凹部３ｃに対して回転させることでパッキン４２を回転調節することができる。従って、パッキン４２を直接嵌合凹部３ｃに差し込んだ場合に比べ、パッキン４２の回転を容易に行うことができる。また、回転調節した後には、接続筒体９は嵌合凹部３ｃに接着固定することで、排水ソケット３からの抜脱を防止し、接合部からの排水の漏れを防止することができる。
このように、差込孔４２ｃに便器１の排水口１ａを差し込む際に、排水芯の施工位置のズレを接続筒体９を介しパッキン４２を回転させて良好に吸収することができ、パッキン４２の弾性による調整能力に加えて、パッキン４２を回転させることにより調整能力を拡大させることができて、良好に便器１を所定位置に設置できるものとなる。
【００１０】
次に、図９は第４実施例を示すものであり、図９の要部拡大図を図１０に示し説明すると、本例の排水ソケット３においては、内筒部３ｅの上端と外筒部３ｄの下端を結ぶ偏心した偏心部３ｆが一体形成されたものとなっており、外筒部３ｄの上端に形成された嵌合凹部３ｃ内に、上方より接続筒体９の嵌合筒部９ａを差し込んで接続筒体９を取り付け、接続筒体９の上端の嵌合凹部９ｂにはパッキン４２を取り付けるものであり、パッキン４２の差込孔４２ｃに対し上方より便器の排水口１ａを差し込んで接続する際に、位置ズレに対応させて適宜排水ソケット３を床面Ｆ上で回転させることにより、位置ズレを良好に調整することができ、さらに偏心した差込孔４２ｃを有するパッキン４２も接続筒体９を介し適宜回転させることにより、さらに調整範囲を拡大させることができ、良好に位置ズレを吸収して便器１を所定位置に設置できるものとなる。
【００１１】
なお、偏心部３ｆを有する偏心した排水ソケット３のみを用いて施工しても良く、さらに図１０のように、偏心したパッキン４２を追加して用いても良く、さらには、図１０の偏心部３ｆを有する排水ソケット３の上端に、図３に示すような蛇腹部４ｂを有するパッキン４を取り付けて、調整能力を拡大させることもできるものである。
【００１２】
次に、図１１の断面図で、また図１２の外観図で示すものは、第５実施例であり、本例の排水ソケット３は、下端の固定フランジ部３ａ内に、垂下して内筒部３ｅが設けられており、固定フランジ部３ａの上方には偏心部３ｆが連続して上昇して、上端に外筒部３ｄが一体形成されており、偏心部３ｆにより内筒部３ｅと外筒部３ｄの中心がズレたものとなっている。なお、本例の排水ソケット３には、水平状に分岐導入管部３ｇが接続されており、この分岐導入管部３ｇは、他の衛生設備等からの排水を排水ソケット３内に導入して、埋設配管２へ排水するためのものである。
また、パッキン４は、通常の差込孔４ｄを有するパッキン４が用いられて、パッキン４の嵌合片４ａを嵌合できる嵌合凹部１１ｂを有する別体のワッシャ部材１１が設けられており、このワッシャ部材１１の立上本体部１１ａの上端に前記嵌合凹部１１ｂが開口状に形成され、立上本体部１１ａの下端には、外側へ突出してリング部１１ｃが一体形成されたものとなっている。このワッシャ部材１１は、例えば硬度５０度程度にＰＰ製または塩化ビニール製で制作されたものである。
【００１３】
このようにパッキン４を保持する嵌合凹部１１ｂを有するワッシャ部材１１が別体で形成されており、また、本例では、別体の蛇腹部材１０が用いられて、蛇腹部材１０により、排水ソケット３の上端と、このワッシャ部材１１が連結されたものとなっている。
蛇腹部材１０は、ＥＰＤＭ（エチレンプロピレンジエンモノマー）等の柔らかい材料で別体に形成されて、上下方向に伸縮可能な蛇腹部１０ａを有しており、蛇腹部１０ａの下端には、垂下状に下外嵌筒部１０ｂが一体形成されており、また、蛇腹部１０ａの上端には、外方向へ突出して鍔状嵌合部１０ｃが形成され、この鍔状嵌合部１０ｃから上方へ立ち上がって上外嵌筒部１０ｄが一体形成されたものとなっている。
【００１４】
この蛇腹部材１０は、排水ソケット３の外周に下外嵌筒部１０ｂを嵌め込み、さらにその外周に下バンド１３を巻着して、排水ソケット３の上端に水密状に取り付けることができ、また、鍔状嵌合部１０ｃ内には前記ワッシャ部材１１のリング部１１ｃを嵌め込んで、ワッシャ部材１１の外周に上外嵌筒部１０ｄを外嵌させることができ、さらにその状態で、上外嵌筒部１０ｄの外周に上バンド１２を巻着して、水密状にワッシャ部材１１の外周に連結することができ、この状態で、蛇腹部材１０によりワッシャ部材１１と排水ソケット３の上端間が連結されて、蛇腹部１０ａを介して、ワッシャ部材１１を上下動、かつ前後左右方向へ変移させることができるものである。
【００１５】
このように本例では、パッキン４とは別体で、ワッシャ部材１１及び蛇腹部材１０を製作し、各部材の材質を変えることができるため、要求される材質にして、厚みとか形状とか硬度等の設計を任意に行なうことができ、機能とか耐久性に優れた構造にすることができるものであり、しかも前後左右方向の位置ズレを蛇腹部１０ａで吸収して、便器１を所定位置に設置できるものとなる。
【００１６】
【発明の効果】
本発明は、床面に設置される排水ソケットの上端にパッキンを設け、該パッキンに上方より便器の排水口を差し込んで接続する接続構造において、前記パッキンは、上下方向に伸縮可能な蛇腹部が形成され、該蛇腹部の上端には水平状に上片が一体形成され、上片の中心部に便器の排水口を上方側から差し込む差込孔が形成されていることにより、排水芯の施工位置がズレた場合にも、パッキンの蛇腹部を介して調整範囲を広げて良好に対応でき、便器を所定位置に正確に施工することができるものとなる。
【００１７】
また、前記パッキンの便器の排水口を上方から差し込む差込孔を偏心させたことにより、排水芯の施工位置がズレた場合に、パッキンを回転させることにより調整範囲が広がり、パッキンの蛇腹部と偏心孔により、パッキン全体としての調整範囲が広がり、良好に位置ズレに対応して調整し、便器を正確に所定位置に設置できるものとなる。
【００１８】
また、前記排水ソケットが、下端側の中心線と上端側の中心線がズレた偏心構造に形成され、該排水ソケットを床面上で回転させて位置ズレを調整できるように構成したことにより、排水芯の施工位置がズレた場合に、排水ソケットを回転させ、またパッキンを回転させることにより、位置ズレに対する調整能力が拡大されて、良好に所定位置に便器を施工することができるものとなる。
【００１９】
また、床面に設置される排水ソケットの上端にパッキンを設け、パッキンに上方より便器の排水口を差し込んで接続する接続構造において、排水ソケットの上端とパッキン間に、別体の上下方向に伸縮可能な蛇腹部を有する部材を介在させたことにより、蛇腹部を介して、位置ズレに対する調整能力を確保することができ、位置ズレを良好に吸収できるものとなる。また、パッキンと蛇腹部を有する部材を別体で形成したため、それぞれ要求される特性を有する材質にして硬さとか形状，硬度等の設計を行い、機能と耐久性に優れた構造とすることができるものとなる。
【００２０】
また、床面に設置される排水ソケットの上端にパッキンを設け、パッキンに上方より便器の排水口を差し込んで接続する接続構造において、パッキンを保持する別体のワッシャ部材と、排水ソケットの上端間を、上下方向に伸縮可能な蛇腹部を有する別体の蛇腹部材で連結したことにより、パッキン，ワッシャ部材，蛇腹部材を材質の異なる別体のものとして、それぞれに要求される特性に設計でき、機能と耐久性に優れた構造とすることができ、蛇腹部材の蛇腹部を介し位置ズレを吸収して、所定位置に便器を良好に施工することができるものとなる。
【図面の簡単な説明】
【図１】  第１実施例の施工状態を示す断面構成図である。
【図２】  図１の要部拡大断面構成図である。
【図３】  第１実施例の施工に用いるパッキンの断面構成図である。
【図４】  第２実施例の施工状態の断面構成図である。
【図５】  図４の要部拡大断面構成図である。
【図６】  第３実施例の施工状態の断面構成図である。
【図７】  図６の要部拡大断面構成図である。
【図８】  図７における接続筒部とパッキンの断面構成図である。
【図９】  第４実施例の施工状態の断面構成図である。
【図１０】  図９の要部拡大断面構成図である。
【図１１】  第５実施例の施工状態の断面構成図である。
【図１２】  図１１の外観図である。
【図１３】  従来の施工状態の断面構成図である。
【図１４】  便器をキャビネットの前面に密着状に設置した状態の平面構成図である。
【符号の説明】
１  便器
１ａ  排水口
２  埋設配管
３  排水ソケット
３ａ  固定フランジ部
３ｃ  嵌合凹部
３ｄ  外筒部
３ｅ  内筒部
３ｆ  偏心部
３ｇ  分岐導入管部
４  パッキン
４ａ  嵌合片
４ｂ  蛇腹部
４ｃ  上片
４ｄ  差込孔
７  リング部材
８  ソケット
８ａ  内筒部
８ｂ  外筒部
８ｃ  嵌合凹部
９  接続筒体
９ａ  嵌合筒部
９ｂ  嵌合凹部
１０  蛇腹部材
１０ａ  蛇腹部
１０ｂ  下外嵌筒部
１０ｃ  鍔状嵌合部
１０ｄ  上外嵌筒部
１１  ワッシャ部材
１１ａ  立上本体部
１１ｂ  嵌合凹部
１１ｃ  リング部
１２  上バンド
１３  下バンド
４１  パッキン
４１ａ  嵌合片
４１ｃ  上片
４２  パッキン
４２ａ  嵌合片
４２ｂ  上片
４２ｃ  差込孔
【図１】
0003763122.tif 000002
【図２】
0003763122.tif 000003
【図３】
0003763122.tif 000004
【図４】
0003763122.tif 000005
【図５】
0003763122.tif 000006
【図６】
0003763122.tif 000007
【図７】
0003763122.tif 000008
【図８】
0003763122.tif 000009
【図９】
0003763122.tif 000010
【図１０】
0003763122.tif 000011
【図１１】
0003763122.tif 000012
【図１２】
0003763122.tif 000013
【図１３】
0003763122.tif 000014
【図１４】
0003763122.tif 000015